(57)【要約】      （修正有）【課題】導入通路に生じる循環流を抑制できる等、より不都合が少なくなるよう改善された新規な構成の冷却システムを提供する。【解決手段】コンテナ２は、床面を構成する第一壁部２aと、第二壁部２ｃとを有する。筐体３は、コンテナに収容され、床面から離れる第一方向に並んで複数の棚部１０が設けられる。複数のモジュール４は、棚部のそれぞれに支持され、かつ、第一方向Ｚと交差し第二壁部２ｃに沿う第二方向Ｙに並び、発熱する。開口部２ｓは、コンテナ内に複数のモジュールを冷却する空気が流入する。筐体の第二壁部とは反対側には、空気の導入通路Ｐ１が設けられ、筐体と第二壁部との間には、空気の排出通路Ｐ２が設けられる。筐体には、導入通路と排出通路との間に亘って延びた中間通路Ｐ３が設けられ、開口部は、導入通路と第二方向に並んで設けられ、かつ、第二方向から見た場合に少なくとも筐体の第一方向の一端部と他端部との間に亘って延びる。【選択図】図３
2019212741.tif 000002
【特許請求の範囲】
【請求項１】
床面を構成する第一壁部と、前記第一壁部と交差した第二壁部と、を有したコンテナと、
前記コンテナに収容され、前記床面から離れる第一方向に並んで複数の棚部が設けられた筐体と、
前記棚部のそれぞれに支持され、かつ前記第一方向と交差し前記第二壁部に沿う第二方向に並び、発熱する複数のモジュールと、
前記コンテナ内に前記複数のモジュールを冷却する空気が流入する開口部と、
を備え、
前記筐体と前記第二壁部との間および前記筐体の前記第二壁部とは反対側のうち一方には、前記第二壁部に沿って延びた前記空気の導入通路が設けられ、
前記筐体と前記第二壁部との間および前記筐体の前記第二壁部とは反対側のうち他方には、前記第二壁部に沿って延びた前記空気の排出通路が設けられ、
前記筐体には、前記複数のモジュールと面し、前記導入通路と前記排出通路との間に亘って延びた中間通路が設けられ、
前記開口部は、前記導入通路と前記第二方向に並んで設けられ、かつ前記第二方向から見た場合に少なくとも前記筐体の前記第一方向の一端部と他端部との間に亘って延びた、冷却システム。
【請求項２】
前記筐体は、当該筐体から前記導入通路内に突出し前記第二方向に延びた第一突出部、および当該筐体から前記導入通路内に突出し前記第一方向に延びた第二突出部、のうち少なくとも一方を有した、請求項１に記載の冷却システム。
【請求項３】
床面を構成する第一壁部と、前記第一壁部と交差した第二壁部と、を有したコンテナと、
前記コンテナに収容され、前記床面から離れる第一方向に並んで複数の棚部が設けられた筐体と、
前記棚部のそれぞれに支持され、かつ前記第一方向と交差し前記第二壁部に沿う第二方向に並び、発熱する複数のモジュールと、
前記コンテナ内に前記複数のモジュールを冷却する空気が流入する開口部と、
を備え、
前記筐体と前記第二壁部との間および前記筐体の前記第二壁部とは反対側のうち一方には、前記第二壁部に沿って延びた前記空気の導入通路が設けられ、
前記筐体と前記第二壁部との間および前記筐体の前記第二壁部とは反対側のうち他方には、前記第二壁部に沿って延びた前記空気の排出通路が設けられ、
前記筐体には、前記複数のモジュールと面し、前記導入通路と前記排出通路との間に亘って延びた中間通路が設けられ、
前記開口部は、前記導入通路と前記第二方向に並んで設けられ、
前記筐体は、当該筐体から前記導入通路内に突出し前記第二方向に延びた第一突出部、および当該筐体から前記導入通路内に突出し前記第一方向に延びた第二突出部、のうち少なくとも一方を有した、冷却システム。
【請求項４】
床面を構成する第一壁部と、前記第一壁部と交差した第二壁部と、を有したコンテナと、
前記コンテナに収容され、前記床面から離れる第一方向に並んで複数の棚部が設けられた筐体と、
前記棚部のそれぞれに支持され、かつ前記第一方向と交差し前記第二壁部に沿う第二方向に並び、発熱する複数のモジュールと、
前記コンテナ内に前記複数のモジュールを冷却する空気が流入する開口部と、
を備え、
前記筐体と前記第二壁部との間および前記筐体の前記第二壁部とは反対側のうち一方には、前記第二壁部に沿って延びた前記空気の導入通路が設けられ、
前記筐体と前記第二壁部との間および前記筐体の前記第二壁部とは反対側のうち他方には、前記第二壁部に沿って延びた前記空気の排出通路が設けられ、
前記筐体には、前記複数のモジュールと面し、前記導入通路と前記排出通路との間に亘って延びた中間通路が設けられ、
前記開口部は、前記導入通路と前記第二方向に並んで設けられ、かつ前記筐体よりも前記第一方向に位置され、
前記導入通路には、前記第二方向に互いに間隔をあけて並び、前記開口部から流入された前記空気を前記筐体側に案内する複数のガイド板が設けられた、冷却システム。
【発明の詳細な説明】
【技術分野】
【０００１】
本発明の実施形態は、冷却システムに関する。
【背景技術】
【０００２】
従来、コンテナと、コンテナに収容され複数の棚部が設けられた筐体と、棚部のそれぞれに支持され発熱する複数のモジュールと、コンテナ内に複数のモジュールを冷却する空気が流入する開口部と、を備えた冷却システムが、知られている。
【先行技術文献】
【特許文献】
【０００３】
【特許文献１】特開２０１５−１２２１６６号公報
【発明の概要】
【発明が解決しようとする課題】
【０００４】
上記従来の冷却システムでは、開口部とコンテナ内の導入通路とが床面から離れる第一方向に並んでいるが、開口部と導入通路とが第一方向と交差した第二方向に並んで設けられる場合がある。この場合、例えば、開口部が筐体よりも第一方向に位置されていると、導入通路に循環流が生じ得る。
【０００５】
この種の冷却システムでは、例えば、導入通路に生じる循環流を抑制できる等、より不都合が少なくなるよう改善された新規な構成が得られれば、好ましい。
【課題を解決するための手段】
【０００６】
実施形態の冷却システムは、例えば、コンテナと、筐体と、複数のモジュールと、開口部と、を備える。コンテナは、床面を構成する第一壁部と、第一壁部と交差した第二壁部と、を有する。筐体は、コンテナに収容され、床面から離れる第一方向に並んで複数の棚部が設けられる。複数のモジュールは、棚部のそれぞれに支持され、かつ第一方向と交差し第二壁部に沿う第二方向に並び、発熱する。開口部は、コンテナ内に複数のモジュールを冷却する空気が流入する。筐体と第二壁部との間および筐体の第二壁部とは反対側のうち一方には、第二壁部に沿って延びた空気の導入通路が設けられ、筐体と第二壁部との間および筐体の第二壁部とは反対側のうち他方には、第二壁部に沿って延びた空気の排出通路が設けられ、筐体には、複数のモジュールと面し、導入通路と排出通路との間に亘って延びた中間通路が設けられ、開口部は、導入通路と第二方向に並んで設けられ、かつ第二方向から見た場合に少なくとも筐体の第一方向の一端部と他端部との間に亘って延びる。
【図面の簡単な説明】
【０００７】
【図１】図１は、第１実施形態の冷却システムを含む蓄電池システムの例示的かつ模式的な断面図であって、図３のI−I断面図である。
【図２】図２は、図１のII−II断面図である。
【図３】図３は、図１のIII−III断面図である。
【図４】図４は、第２実施形態の冷却システムを含む蓄電池システムの例示的かつ模式的な断面図であって、図６のIV−IV断面図である。
【図５】図５は、図４のV−V断面図である。
【図６】図６は、図４のVI−VI断面図である。
【図７】図７は、第３実施形態の冷却システムを含む蓄電池システムの例示的かつ模式的な断面図であって、図８のVII−VII断面図である。
【図８】図８は、図７のVIII−VIII断面図である。
【図９】図９は、第３実施形態の蓄電池システムの第１変形例の例示的かつ模式的な断面図である。
【図１０】図１０は、第３実施形態の蓄電池システムの第２変形例の例示的かつ模式的な断面図である。
【図１１】図１１は、第４実施形態の冷却システムを含む蓄電池システムの例示的かつ模式的な断面図である。
【図１２】図１２は、第４実施形態の蓄電池システムの第１変形例の例示的かつ模式的な断面図である。
【発明を実施するための形態】
【０００８】
以下、本発明の例示的な実施形態が開示される。以下に示される実施形態の構成、ならびに当該構成によってもたらされる作用および効果は、一例である。なお、本明細書では、序数は、部品や部材を区別するためだけに用いられており、順番や優先度を示すものではない。
【０００９】
また、以下に開示される複数の実施形態には、同様の構成要素が含まれる。よって、以下では、それら同様の構成要素には共通の符号が付与されるとともに、重複する説明が省略される。
【００１０】
［第１実施形態］
図１は、冷却システムを含む蓄電池システム１の断面図であって、図３のI−I断面図であり、図２は、図１のII−II断面図であり、図３は、図１のIII−III断面図である。なお、以下の説明では、便宜上、互いに直交する三方向が定義されている。Ｘ方向は、コンテナ２の短手方向（左右方向、幅方向）に沿い、Ｙ方向は、コンテナ２の長手方向（前後方向）に沿い、Ｚ方向は、コンテナ２の高さ方向（上下方向）に沿う。なお、以下の説明では、Ｘ方向、Ｙ方向、およびＺ方向のそれぞれの正側（矢印の先端側）を一方と称し、負側を他方と称する。
【００１１】
図１〜３に示されるように、蓄電池システム１は、例えば、コンテナ２と、筐体３と、複数の電池モジュール４（図２，３参照）と、空調装置５と、を備えている。電池モジュール４は、筐体３の各棚部１０に支持され、Ｚ方向およびＹ方向に互いに間隔をあけて並んでいる。Ｚ方向は、第一方向の一例であり、Ｙ方向は、第二方向の一例である。また、電池モジュール４は、モジュールの一例である。なお、冷却システムは、この例には限定されず、例えば、筐体３の各棚部１０にモジュールとしての複数のコンピュータが収容された所謂コンテナ型のデータセンタ等に適用されてもよい。
【００１２】
図１に示されるように、空調装置５は、コンテナ２外に設置されている。空調装置５から吐出された空気流Ｗ（冷風）は、ダクト６を介して、コンテナ２内の導入通路Ｐ１へと供給される。そして、空気流Ｗは、コンテナ２内をＸ方向に横断するように筐体３の各棚部１０を通過し、排出通路Ｐ２で集約されてコンテナ２外に排出される。筐体３を通過する過程で電池モジュール４と熱交換を行った空気流Ｗは、ダクト７を介して空調装置５へと戻り、熱交換器等によって冷却され、コンテナ２内に再び供給される。
【００１３】
筐体３は、例えば、Ｘ方向に短い直方体状に構成されている。筐体３は、複数の壁部３ａ〜３ｇを有する。壁部３ａおよび壁部３ｂ（図２参照）は、いずれも、Ｚ方向と直交する方向（ＸＹ平面）に沿って延びており、Ｚ方向に間隔をあけて互いに平行に設けられている。壁部３ａは、底壁部や下壁部等と称され、壁部３ｂは、天壁部や上壁部等と称される。壁部３ａは、コンテナ２の床面２ａ１に支持され、壁部３ｂは、コンテナ２の天井と間隔をあけて面している。
【００１４】
壁部３ｃおよび壁部３ｄは、いずれも、Ｙ方向と直交する方向（ＸＺ平面）に沿って延びており、Ｙ方向に間隔をあけて互いに平行に設けられている。壁部３ｃは、壁部３ａおよび壁部３ｂのＹ方向の一端部の間に亘り、壁部３ｄは、壁部３ａおよび壁部３ｂのＹ方向の他端部の間に亘っている。壁部３ｃ，３ｄは、側壁部や端壁部等とも称される。
【００１５】
壁部３ｅは、壁部３ｂからＺ方向の一方に突出し、Ｙ方向に沿って延びている。図１に示されるように、壁部３ｅは、壁部３ｂのＸ方向の略中央部に位置され、壁部３ｃと壁部３ｄとの間、および壁部３ｂとコンテナ２の天井との間に亘っている。壁部３ｅは、コンテナ２内の導入通路Ｐ１と排出通路Ｐ２とをＸ方向に仕切っている。壁部３ｅは、仕切壁や、隔壁部、分離壁等とも称される。
【００１６】
なお、壁部３ｅとコンテナ２との間の隙間や、壁部３ｃ，３ｄとコンテナ２との間の隙間には、空気流Ｗが導入通路Ｐ１から筐体３内を経由せずに排出通路Ｐ２に排出されるのを抑制するシール部材等が設けられるのが好ましい。
【００１７】
壁部３ｇ（図２参照）は、壁部３ａと壁部３ｂとの間に位置され、壁部３ｃと壁部３ｄとの間に亘っている。筐体３には、複数の壁部３ｇがＺ方向に間隔をあけて互いに平行に設けられている。壁部３ｇは、壁部３ａ，３ｂと平行である。壁部３ｇは、筐体３内をＺ方向に複数の空間（収容室）としての棚部１０に仕切っている。壁部３ｇは、棚板や仕切壁等とも称される。
【００１８】
壁部３ｆは、壁部３ｃと壁部３ｄとの間に位置され、壁部３ａと壁部３ｂとの間に亘っている。筐体３には、複数の壁部３ｆがＹ方向に間隔をあけて互いに平行に設けられている。壁部３ｆは、壁部３ｃ，３ｄと平行である。壁部３ｆは、棚部１０をＹ方向に複数の空間（収容室）に仕切っている。各棚部１０には、例えば、それぞれ三つの電池モジュール４がＹ方向に並んだ状態で収容されている。壁部３ｆは、隔壁部や分離壁等とも称される。
【００１９】
また、各棚部１０には、電池モジュール４の周囲に中間通路Ｐ３が設けられている。中間通路Ｐ３は、複数の電池モジュール４と面し、Ｘ方向に沿って延び、導入通路Ｐ１と排出通路Ｐ２との間に亘っている。本実施形態では、筐体３のＸ方向の両側には、壁部等は設けられておらず、開放されている。なお、筐体３は、この例には限定されず、例えば、Ｘ方向の両側に壁部が設けられ、当該壁部に各棚部１０と連通するように開口部が設けられてもよい。この場合、当該開口部は、メッシュやフィルタ等の覆部材によって覆われると好適である。また、筐体３は、Ｙ方向に分割された複数の分割体によって構成されてもよい。この場合、壁部３ｆは、二つの分割体の壁部３ｃ，３ｄ同士が重なること等によって構成されうる。筐体３は、ラック筐体や、電池ラック等とも称される。
【００２０】
電池モジュール４は、例えば、モジュール筐体や、モジュール筐体内に収容された複数の電池セル、複数の電池セルの電極部とバスバー等の導電部材を介して電気的に接続された出力端子部等を有している。本実施形態では、複数の電池モジュール４の出力端子部が直列あるいは並列に接続されることによって、コンテナ型の蓄電池システム１が構成されている。このコンテナ型の蓄電池システム１は、例えば、屋外の設備等や、非常用の電源として使用されうる。電池モジュール４は、電池ユニットや、組電池等とも称され、電池セルは、単電池等とも称される。
【００２１】
電池セルは、例えば、リチウムイオン二次電池等で構成されうる。なお、電池セルは、ニッケル水素電池や、ニッケルカドミウム電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物や、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、ニオブ複合酸化物等の酸化物材料等が用いられる。また、電解質（例えば、電解液）としては、フッ素系錯塩（例えばＬｉＢＦ４、ＬｉＰＦ６）等のリチウム塩が配合された、例えば、炭酸エチレンや、炭酸プロピレン、炭酸ジエチル、炭酸エチルメチル、炭酸ジメチル等の有機溶媒等が単独であるいは複数混合されて用いられる。
【００２２】
図１に示されるように、コンテナ２は、例えば、Ｙ方向に長い直方体状の箱型に構成されている。コンテナ２は、複数の壁部２ａ〜２ｆを有する。壁部２ａおよび壁部２ｂ（図２参照）は、いずれも、Ｚ方向と直交する方向（ＸＹ平面）に沿って延びており、Ｚ方向に間隔をあけて互いに平行に設けられている。壁部２ａは、底壁部や下壁部等と称され、壁部２ｂは、天壁部や上壁部等と称される。壁部２ａは、筐体３を支持する床面２ａ１を有している。壁部２ａは、第一壁部の一例である。
【００２３】
壁部２ｃおよび壁部２ｅ（図１参照）は、いずれも、Ｘ方向と直交する方向（ＹＺ平面）に沿って延びており、Ｘ方向に間隔をあけて互いに平行に設けられている。また、壁部２ｄおよび壁部２ｆは、いずれも、Ｙ方向と直交する方向（ＸＺ平面）に沿って延びており、Ｙ方向に間隔をあけて互いに平行に設けられている。壁部２ｃ〜２ｆは、側壁部や周壁部等とも称される。
【００２４】
コンテナ２内において、壁部２ｃと筐体３との間には、隙間としての排出通路Ｐ２が設けられている。排出通路Ｐ２は、壁部２ｃに沿って、すなわちＹ方向およびＺ方向に沿って、広がっている。排出通路Ｐ２は、中間通路Ｐ３のＸ方向の一端部と接続されている。排出通路Ｐ２には、電池モジュール４と熱交換を行った後の空気流Ｗが流れる。壁部２ｃは、第二壁部の一例である。
【００２５】
また、コンテナ２内における筐体３の壁部２ｃとは反対側、すなわち壁部２ｅと筐体３との間には、隙間としての導入通路Ｐ１が設けられている。導入通路Ｐ１は、壁部２ｃ，２ｅに沿って、すなわちＹ方向およびＺ方向に沿って、広がっている。導入通路Ｐ１は、中間通路Ｐ３のＸ方向の他端部と接続されている。導入通路Ｐ１には、電池モジュール４と熱交換を行う前の冷たい空気流Ｗが流れる。
【００２６】
また、壁部２ｄには、複数の開口部２ｓ，２ｔ（図３参照）が設けられている。開口部２ｔは、壁部２ｄをＹ方向に貫通するとともに、Ｚ方向に沿って細長く延びている。本実施形態では、開口部２ｔのＺ方向に沿った長さは、筐体３のＺ方向に沿った長さと略同じである。開口部２ｔは、排出通路Ｐ２に臨んでおり、開口部２ｔと排出通路Ｐ２とは、Ｙ方向に並んでいる。
【００２７】
また、開口部２ｔは、排出通路Ｐ２と空調装置５のダクト７（図１参照）とを連通している。本実施形態では、排出通路Ｐ２を流れる空気流Ｗは、空調装置５のファン等によって、開口部２ｔを介してダクト７内に吸気される。開口部２ｔは、空調装置５の吸気口の一例であり、コンテナ２の流出口の一例である。なお、ダクト７は、この例には限定されず、例えば、空調装置５とは反対側の端部がコンテナ２内に設けられてもよい。この場合、ダクト７の空調装置５とは反対側の端部が、吸気口（コンテナ流出口）となる。
【００２８】
開口部２ｓは、壁部２ｄをＹ方向に貫通するとともに、Ｚ方向およびＸ方向に沿って延びている。本実施形態では、開口部２ｓは、壁部２ｄのＺ方向の略全域に亘って設けられている。別の言い方をすると、開口部２ｓは、Ｙ方向から見た場合（図３参照）に少なくとも筐体３のＺ方向の一端部３ｈと他端部３ｉとの間に亘って延びている。開口部２ｓは、導入通路Ｐ１に臨んでおり、開口部２ｓと導入通路Ｐ１とは、Ｙ方向に並んでいる。
【００２９】
また、開口部２ｓは、導入通路Ｐ１と空調装置５のダクト６（図１参照）とを連通している。本実施形態では、ダクト６を流れる空気流Ｗは、開口部２ｓを介して導入通路Ｐ１内に吐出される。開口部２ｓは、空調装置５の吐出口の一例であり、コンテナ２の流入口の一例である。なお、ダクト６は、この例には限定されず、例えば、空調装置５とは反対側の端部がコンテナ２内に設けられてもよい。この場合、ダクト６の空調装置５とは反対側の端部が、吐出口（コンテナ流入口）となる。
【００３０】
ここで、仮に開口部２ｓが筐体３よりもＺ方向の一方に偏って設けられた場合、導入通路Ｐ１の略中心部にＸ方向に沿った軸回りの循環流Ｗ１（図５参照）が生じ得る。このような循環流Ｗ１が発生すると、例えば、当該循環流Ｗ１が空気の壁となって循環流Ｗ１の内側領域Ｔ１の空気流量が外側領域Ｔ２の空気流量よりも低くなり、ひいては内側領域Ｔ１に配置される電池モジュール４の冷却性が低下し得る。その点、本実施形態によれば、開口部２ｓがＹ方向から見た場合（図３参照）に筐体３のＺ方向の一端部３ｈと他端部３ｉとの間に亘って延びているため、導入通路Ｐ１に生じる循環流Ｗ１を抑制することができる。よって、例えば、空気流Ｗによる複数の電池モジュール４の冷却性のばらつきが抑制されやすく、ひいては場所による電池モジュール４の温度のばらつきが抑制されやすい。
【００３１】
以上のように、本実施形態では、例えば、筐体３の壁部２ｃ（第二壁部）とは反対側には、壁部２ｃに沿って延びた空気流Ｗの導入通路Ｐ１が設けられ、筐体３と壁部２ｃとの間には、壁部２ｃに沿って延びた空気流Ｗの排出通路Ｐ２が設けられ、筐体３には、複数の電池モジュール４と面し、導入通路Ｐ１と排出通路Ｐ２との間に亘って延びた中間通路Ｐ３が設けられ、開口部２ｓは、導入通路Ｐ１とＹ方向に並んで設けられ、かつＹ方向から見た場合に少なくとも筐体３のＺ方向の一端部３ｈと他端部３ｉとの間に亘って延びている。このような構成によれば、例えば、開口部２ｓによって導入通路Ｐ１に生じる循環流Ｗ１を抑制することができる。よって、例えば、場所による電池モジュール４の温度のばらつきが抑制されやすく、ひいては蓄電池システム１の寿命を延ばすことができる。
【００３２】
［第２実施形態］
図４は、蓄電池システム１Ａの断面図であって、図６のIV−IV断面図であり、図５は、図４のV−V断面図であり、図６は、図４のVI−VI断面図である。図４〜６に示される実施形態の蓄電池システム１Ａは、上記第１実施形態の蓄電池システム１と同様の構成を備えている。よって、本実施形態によっても、上記第１実施形態と同様の構成に基づく同様の効果が得られる。
【００３３】
ただし、本実施形態では、例えば、図４〜６に示されるように、筐体３の各壁部３ｇ（棚板）に突出部３ｇ１が設けられている点が、上記第１実施形態と相違している。突出部３ｇ１は、壁部３ｇのＸ方向の他端部から導入通路Ｐ１内に突出し、Ｙ方向に沿って延びている。筐体３には、複数の突出部３ｇ１がＺ方向に間隔をあけて互いに平行に設けられている。
【００３４】
また、突出部３ｇ１は、例えば、Ｙ方向から見た場合（図６参照）に少なくとも一部が開口部２ｓとＺ方向に重なる状態に設けられている。突出部３ｇ１は、第一突出部の一例であり、延長部や張出部等とも称される。なお、本実施形態では、開口部２ｓ（図５，６参照）は、筐体３よりもＺ方向の一方に寄って設けられている。このため、導入通路Ｐ１にＸ方向に沿った軸回りの循環流Ｗ１が生じ得る。
【００３５】
しかしながら、本実施形態では、筐体３に突出部３ｇ１が設けられているため、例えば、突出部３ｇ１によって、導入通路Ｐ１に生じる循環流Ｗ１をＺ方向に分断し、当該循環流Ｗ１を抑制することができる。よって、例えば、場所による電池モジュール４の温度のばらつきが抑制されやすく、ひいては蓄電池システム１Ａの寿命を延ばすことができる。
【００３６】
なお、蓄電池システム１Ａは、例えば、コンタクタ等の電池モジュール４とは別のモジュールを備えている。この場合、例えば、当該別のモジュールを筐体３における循環流Ｗ１の内側領域Ｔ１となる部分に配置し、電池モジュール４を循環流Ｗ１の外側領域Ｔ２となる部分に配置するのが好ましい。これにより、電池モジュール４の温度のばらつきがより一層抑制されうる。
【００３７】
［第３実施形態］
図７は、蓄電池システム１Ｂの断面図であって、図８のVII−VII断面図であり、図８は、図７のVIII−VIII断面図である。図７，８に示される実施形態の蓄電池システム１Ｂは、上記第１実施形態の蓄電池システム１と同様の構成を備えている。よって、本実施形態によっても、上記第１実施形態と同様の構成に基づく同様の効果が得られる。
【００３８】
ただし、本実施形態では、例えば、図７，８に示されるように、筐体３の各壁部３ｆに突出部３ｆ１が設けられている点が、上記第１実施形態と相違している。突出部３ｆ１は、壁部３ｆのＸ方向の他端部から導入通路Ｐ１内に突出し、Ｚ方向に沿って延びている。筐体３には、複数の突出部３ｆ１がＹ方向に間隔をあけて互いに平行に設けられている。
【００３９】
また、突出部３ｆ１は、例えば、Ｙ方向から見た場合（図８参照）に少なくとも一部が開口部２ｓとＺ方向に重なる状態に設けられている。突出部３ｆ１は、第二突出部の一例であり、延長部や張出部等とも称される。
【００４０】
このように、本実施形態では、筐体３に突出部３ｆ１が設けられているため、例えば、突出部３ｆ１によって、導入通路Ｐ１に生じる循環流Ｗ１（図５参照）をＹ方向に分断し、当該循環流Ｗ１を抑制することができる。よって、例えば、場所による電池モジュール４の温度のばらつきが抑制されやすく、ひいては蓄電池システム１Ｂの寿命を延ばすことができる。
【００４１】
［第３実施形態の第１変形例］
図９は、蓄電池システム１Ｂの第１変形例の例示的かつ模式的な断面図である。図９に示される変形例の蓄電池システム１Ｃは、上記第３実施形態の蓄電池システム１Ｂと同様の構成を備えている。よって、本変形例によっても、上記第３実施形態と同様の構成に基づく同様の効果が得られる。
【００４２】
ただし、本変形例では、例えば、図９に示されるように、筐体３に突出部３ｇ１および突出部３ｆ１が設けられている点が、上記第３実施形態と相違している。突出部３ｇ１は、第一突出部の一例であり、突出部３ｆ１は、第二突出部の一例である。このように、本変形例では、筐体３に突出部３ｇ１，３ｆ１が設けられているため、例えば、突出部３ｇ１，３ｆ１によって、導入通路Ｐ１に生じる循環流Ｗ１（図５参照）をＺ方向およびＹ方向に分断し、当該循環流Ｗ１を抑制することができる。よって、例えば、場所による電池モジュール４の温度のばらつきがより一層抑制されやすい。
【００４３】
［第３実施形態の第２変形例］
図１０は、蓄電池システム１Ｂの第２変形例の例示的かつ模式的な断面図である。図１０に示される変形例の蓄電池システム１Ｄは、上記第３実施形態の蓄電池システム１Ｂと同様の構成を備えている。よって、本変形例によっても、上記第３実施形態と同様の構成に基づく同様の効果が得られる。
【００４４】
ただし、本変形例では、例えば、図１０に示されるように、筐体３に突出部３ｇ１および突出部３ｆ１が設けられかつ開口部２ｓがＹ方向から見た場合に筐体３のＺ方向の一端部３ｈと他端部３ｉとの間に亘って延びている点が、上記第３実施形態と相違している。なお、本変形例では、突出部３ｇ１，３ｆ１と開口部２ｓとがＹ方向に重ならずにＸ方向にオフセットして設けられているが、この例には限定されず、突出部３ｇ１，３ｆ１の少なくとも一部が開口部２ｓとＹ方向に重なる状態に設けられてもよい。また、本変形例では、筐体３に突出部３ｇ１，３ｆ１の双方が設けられているが、この例には限定されず、突出部３ｇ１，３ｆ１のうち一方（例えば、突出部３ｇ１）のみが設けられてもよい。このように、本変形例では、開口部２ｓおよび突出部３ｇ１，３ｆ１によって導入通路Ｐ１に生じる循環流Ｗ１を抑制することができるため、例えば、場所による電池モジュール４の温度のばらつきがより一層確実に抑制されやすい。
【００４５】
［第４実施形態］
図１１は、蓄電池システム１Ｅの断面図である。図１１に示される実施形態の蓄電池システム１Ｅは、上記第１実施形態の蓄電池システム１と同様の構成を備えている。よって、本実施形態によっても、上記第１実施形態と同様の構成に基づく同様の効果が得られる。
【００４６】
ただし、本実施形態では、例えば、図１１に示されるように、導入通路Ｐ１に複数のガイド板２ｇが設けられている点が、上記第１実施形態と相違している。ガイド板２ｇおよび開口部２ｓは、筐体３よりもＺ方向の一方に位置され、Ｙ方向に並んでいる。また、複数のガイド板２ｇは、開口部２ｓから離れるにつれてＺ方向の一方に向かうように互いに部分的にオフセットしている。ガイド板２ｇは、例えば、コンテナ２の壁部２ｅ（図１参照）および壁部３ｅ、あるいはコンテナ２の壁部２ｂ（天井）等に支持されている。
【００４７】
また、ガイド板２ｇは、例えば、傾斜面２ｇ１と、鉛直面２ｇ２と、をそれぞれ有している。傾斜面２ｇ１は、開口部２ｓから離れるにつれて、すなわちＹ方向の他方に向かうにつれて床面２ａ１（筐体３）に近づくように傾斜している。鉛直面２ｇ２は、傾斜面２ｇ１のＹ方向の他方の端部から、Ｚ方向の他方（下方）に延びている。ガイド板２ｇは、開口部２ｓから導入通路Ｐ１内に流入された空気流Ｗを床面２ａ１（筐体３）側に偏向して案内する機能を有している。ガイド板２ｇは、気流偏向板等とも称される。
【００４８】
このように、本実施形態では、導入通路Ｐ１にガイド板２ｇが設けられているため、例えば、当該ガイド板２ｇによって空気流Ｗを筐体３側に案内することで、導入通路Ｐ１に生じる循環流Ｗ１（図５参照）を抑制することができる。よって、例えば、場所による電池モジュール４の温度のばらつきが抑制されやすく、ひいては蓄電池システム１Ｅの寿命を延ばすことができる。
【００４９】
［第４実施形態の第１変形例］
図１２は、蓄電池システム１Ｅの第１変形例の例示的かつ模式的な断面図である。図１２に示される変形例の蓄電池システム１Ｆは、上記第４実施形態の蓄電池システム１Ｅと同様の構成を備えている。よって、本変形例によっても、上記第４実施形態と同様の構成に基づく同様の効果が得られる。
【００５０】
ただし、本変形例では、例えば、図１２に示されるように、複数のガイド板２ｇが導入通路Ｐ１におけるＹ方向の両端部側よりも中央部側により密集して配置されている点が、上記第４実施形態と相違している。本変形例では、Ｙ方向に隣接した二つのガイド板２ｇにおけるＺ方向の一端部側の間隔が、Ｙ方向の両端部側よりも中央部側でより狭くなっている。開口部２ｓから流入された空気流Ｗの流速は、Ｙ方向の中央部側がより高速となり、Ｙ方向の両端部側がより低速となる場合がある。そのため、本変形例では、ガイド板２ｇをＹ方向の中央部側により密集させ抵抗を大きくすることで、Ｚ方向の他方（下方）に向かう空気流Ｗの流速がより均一になるよう構成されている。なお、Ｙ方向の中央部側におけるガイド板２ｇのＺ方向の他端部側の間隔は、他とピッチを等しくするとさらに流速の均一性が増すので望ましい。よって、本変形例によれば、例えば、ガイド板２ｇによって、空気流Ｗによる複数の電池モジュール４の冷却性のばらつきが抑制されやすく、ひいては場所による電池モジュール４の温度のばらつきが抑制されやすい。
【００５１】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００５２】
１，１Ａ〜１Ｆ…蓄電池システム（冷却システム）、２…コンテナ、２ａ…壁部（第一壁部）、２ａ１…床面、２ｃ…壁部（第一壁部）、２ｇ…ガイド板、２ｓ…開口部、３…筐体、３ｆ１…突出部（第二突出部）、３ｇ１…突出部（第一突出部）、３ｈ…一端部、３ｉ…他端部、４…電池モジュール（モジュール）、５…空調装置、１０…棚部、Ｐ１…導入通路、Ｐ２…排出通路、Ｐ３…中間通路、Ｗ…空気流、Ｙ…第二方向、Ｚ…第一方向。
【図１】
2019212741.tif 000003
【図２】
2019212741.tif 000004
【図３】
2019212741.tif 000005
【図４】
2019212741.tif 000006
【図５】
2019212741.tif 000007
【図６】
2019212741.tif 000008
【図７】
2019212741.tif 000009
【図８】
2019212741.tif 000010
【図９】
2019212741.tif 000011
【図１０】
2019212741.tif 000012
【図１１】
2019212741.tif 000013
【図１２】
2019212741.tif 000014